(57)【要約】【課題】  全高を低くすることのできる内燃機関用点火コイルを提供すること。【解決手段】  少なくとも１次コイル及び２次コイル、その二つのコイルを磁気的に結合させる前記１次コイルの内周を通るセンタ鉄心及び前記２次コイルの外周を通るサイド鉄心を有し、前記１次コイル、２次コイル、センタ鉄心及びサイド鉄心が内燃機関の点火プラグ軸方向と直角もしくは僅かに直角より傾いて点火コイルに電源等を供給するハーネスと接続可能な接続部を一体に成形された収納ケースに収容され、外周を通るサイド鉄心の外周面に１次コイルに通電された電流を遮断するためのスイッチング素子の金属板表面又は底面側が略並行に隣接し、スイッチング素子の端子部が点火プラグと逆方向に設置された内燃機関用点火コイルにおいて、前記１次コイル、２次コイルからなる巻線部とスイッチング素子及び外部とを接続をする溶接部が前記サイド鉄心の点火プラグの軸方向で点火プラグと逆方向の端面よりも点火プラグ側に設置されたので、全高を低くすることができる。【選択図】  図１
2005317717.tif 000002
【特許請求の範囲】
【請求項１】
少なくとも１次コイル及び２次コイル、その二つのコイルを磁気的に結合させる前記１次コイルの内周を通るセンタ鉄心及び前記２次コイルの外周を通るサイド鉄心を有し、前記１次コイル、２次コイル、センタ鉄心及びサイド鉄心が内燃機関の点火プラグ軸方向と直角もしくは僅かに直角より傾いて点火コイルに電源等を供給するハーネスと接続可能な接続部を一体に成形された収納ケースに収容され、外周を通るサイド鉄心の外周面に１次コイルに通電された電流を遮断するためのスイッチング素子の金属板表面又は底面側が略並行に隣接し、スイッチング素子の端子部が点火プラグと逆方向に設置された内燃機関用点火コイルにおいて、
前記１次コイル、２次コイルからなる巻線部とスイッチング素子及び外部とを接続をする溶接部が前記サイド鉄心の点火プラグの軸方向で点火プラグと逆方向の端面よりも点火プラグ側に設置されたことを特徴とする内燃機関用点火コイル。
【請求項２】
前記溶接部は、溶接用の溶接電極を挿入するための作業スペースの一部を含めたものであることを特徴とする請求項１に記載の内燃機関用点火コイル。
【請求項３】
前記巻線部の接続用の端子がサイド鉄心の点火プラグ軸方向で点火プラグと逆方向の端面より点火プラグ側に形成されたことを特徴とする請求項１または２に記載の内燃機関用点火コイル。
【請求項４】
前記巻線部の溶接用の端子は、平面視にてスイッチング素子がセンタ鉄心を巻線部の内周に通す際に必要な作業スペースから待避した位置に設置されたことを特徴とする請求項１〜３のいずれか１項に記載の内燃機関用点火コイル。
【請求項５】
前記スイッチング素子が、平面視でセンタ鉄心の作業スペースに最終的に配置される場合、センタ鉄心の作業スペースから待避した位置に設置されたことを特徴とする請求項１〜４のいずれか１項に記載の内燃機関用点火コイル。
【請求項６】
前記溶接用の溶接電極を挿入するための作業スペースを兼ねる収納ケースの一部が外周側に凸形状に形成されたことを特徴とする請求項１〜５のいずれか１項に記載の内燃機関用点火コイル。
【請求項７】
前記溶接部は、挾み込み溶接、パラレル溶接、レーザー溶接、マイクロアーク溶接のいずれかによって溶接されることを特徴とする請求項１〜６のいずれか１項に記載の内燃機関用点火コイル。
【発明の詳細な説明】
【技術分野】
【０００１】
本発明は、例えば自動車のエンジンの点火プラグにおいて、火花放電を発生させる為に高電圧を供給する内燃機関用点火コイルに関するものである。
【背景技術】
【０００２】
図５は、従来の内燃機関用点火コイルの縦断面図である。ここで、図中の符号を簡単に説明すると、閉磁路を形成するセンタ鉄心１３とサイド鉄心１４、センタ鉄心１３の外周に巻回され通電されることによりセンタ鉄心１３とサイド鉄心１４を励磁する１次コイル１１と１次コイル１１の外周に巻回された２次コイル１２、それらを絶縁している絶縁材１９、１次コイル１１の通電を遮断するスイッチング素子１６がサイド鉄心１４の外周面４１にそのベース５１を隣接する形で配置されている。また、スイッチング素子１６の接続端子５２は、上端に延設されるとともに、鉤形に折曲されている。
【０００３】
これらの部品を内部の１次コイル１１に電流を供給する為に点火コイル外部とを接続するコネクタ７１を有する収納ケース１５を示している。
また、このように構成された巻線部の接続端子６とスイッチング素子１６の接続端子５２は、接続構造部８によって接続される。この点火コイル内部の接続構造部８および溶接電極の作業スペース８１は、図示しない内燃機関の点火プラグと逆側のサイド鉄心１４の端面１４ａより、点火プラグと逆側に配置されているのが通常である。
【発明の開示】
【発明が解決しようとする課題】
【０００４】
しかし、従来の内燃機関用点火コイルでは、接続構造８がサイド鉄心１４の端面１４ａの点火プラグの逆側に配置されていることから、内燃機関の取付け面からの点火コイルの全高Ｈ０が大きくなりレイアウト性に配慮が必要となると云う欠点が存在した。
【０００５】
この発明は上記に鑑み提案されたもので、点火コイルの全高を低くすることでレイアウト性を改善できる構造を提供することを目的としている。
【課題を解決するための手段】
【０００６】
上記目的を達成する為に、本発明の内燃機関用点火コイルは、少なくとも１次コイル及び２次コイル、その二つのコイルを磁気的に結合させる前記１次コイルの内周を通るセンタ鉄心及び前記２次コイルの外周を通るサイド鉄心を有し、前記１次コイル、２次コイル、センタ鉄心及びサイド鉄心が内燃機関の点火プラグ軸方向と直角もしくは僅かに直角より傾いて点火コイルに電源等を供給するハーネスと接続可能な接続部を一体に成形された収納ケースに収容され、外周を通るサイド鉄心の外周面に１次コイルに通電された電流を遮断するためのスイッチング素子の金属板表面又は底面側が略並行に隣接し、スイッチング素子の端子部が点火プラグと逆方向に設置された内燃機関用点火コイルにおいて、前記１次コイル、２次コイルからなる巻線部とスイッチング素子及び外部とを接続をする溶接部が前記サイド鉄心の点火プラグの軸方向で点火プラグと逆方向の端面よりも点火プラグ側に設置されたことを特徴としている。
【０００７】
また、請求項２に記載の発明において、前記溶接部は、溶接用の溶接電極を挿入するための作業スペースの一部を含めたものであることを特徴とする。
【０００８】
また、請求項３に記載の発明において、前記巻線部の接続用の端子がサイド鉄心の点火プラグ軸方向で点火プラグと逆方向の端面より点火プラグ側に形成されたことを特徴とする。
【０００９】
また、請求項４に記載の発明において、前記巻線部の溶接用の端子は、平面視にてスイッチング素子がセンタ鉄心を巻線部の内周に通す際に必要な作業スペースから待避した位置に設置されたことを特徴とする。
【００１０】
また、請求項５に記載の発明において、前記スイッチング素子が、平面視でセンタ鉄心の作業スペースに最終的に配置される場合、センタ鉄心の作業スペースを避けるように設置されたことを特徴とする。
【００１１】
また、請求項６に記載の発明において、前記溶接用の溶接電極を挿入するための作業スペースを兼ねる収納ケースの一部が外周側に凸形状に形成されたことを特徴とする。
【００１２】
また、請求項７に記載の発明において、前記溶接部は、挾み込み溶接、パラレル溶接、レーザー溶接、マイクロアーク溶接のいずれかによって溶接されることを特徴とする。
【発明の効果】
【００１３】
この発明は上記した構成からなるので、以下に説明するような効果を奏することができる。
【００１４】
請求項１に記載の発明では、少なくとも１次コイル及び２次コイル、その二つのコイルを磁気的に結合させる前記１次コイルの内周を通るセンタ鉄心及び前記２次コイルの外周を通るサイド鉄心を有し、前記１次コイル、２次コイル、センタ鉄心及びサイド鉄心が内燃機関の点火プラグ軸方向と直角もしくは僅かに直角より傾いて点火コイルに電源等を供給するハーネスと接続可能な接続部を一体に成形された収納ケースに収容され、外周を通るサイド鉄心の外周面に１次コイルに通電された電流を遮断するためのスイッチング素子の金属板表面又は底面側が略並行に隣接し、スイッチング素子の端子部が点火プラグと逆方向に設置された内燃機関用点火コイルにおいて、前記１次コイル、２次コイルからなる巻線部とスイッチング素子及び外部とを接続をする溶接部が前記サイド鉄心の点火プラグの軸方向で点火プラグと逆方向の端面よりも点火プラグ側に設置されたので、全高を低くすることができる。また、レイアウト性を向上することができる。
【００１５】
請求項２に記載の発明では、前記溶接部は、溶接用の溶接電極を挿入するための作業スペースの一部を含めたものであるので、全高を低くすることができる。
【００１６】
請求項３に記載の発明では、前記巻線部の接続用の端子がサイド鉄心の点火プラグ軸方向で点火プラグと逆方向の端面より点火プラグ側に形成されたので、全高を低くすることができる。
【００１７】
請求項４に記載の発明では、前記巻線部の溶接用の端子は、平面視にてスイッチング素子がセンタ鉄心を巻線部の内周に通す際に必要な作業スペースから待避した位置に設置されたので、全高を低くしても巻線部の溶接用の端子がセンター鉄心の挿入作業の邪魔になることがない。
【００１８】
請求項５に記載の発明では、前記スイッチング素子が、平面視でセンタ鉄心の作業スペースに最終的に配置される場合、センタ鉄心の作業スペースを避けるように設置されたので、スイッチング素子がセンタ鉄心の挿入作業の邪魔になることなく、全高を低くすることができる。
【００１９】
請求項６に記載の発明では、前記溶接用の溶接電極を挿入するための作業スペースを兼ねる収納ケースの一部が外周側に凸形状に形成されたので、溶接部を確実に溶着できるとともに、溶接時の溶接電極の作業スペースを小さくすることができる。
【００２０】
請求項７に記載の発明では、前記溶接部は、挾み込み溶接、パラレル溶接、レーザー溶接、マイクロアーク溶接のいずれかによって溶接されるので、溶接部を確実に溶着できる。
【発明を実施するための最良の形態】
【００２１】
巻線部とスイッチング素子及び外部とを接続をする溶接部をサイド鉄心の点火プラグの軸方向で点火プラグと逆方向の端面よりも点火プラグ側に設置することにより、内燃機関用点火コイルの全高を低くすると云う目的を達成できる。
【実施例】
【００２２】
以下、本発明の一実施例を説明する。図１は、本発明に係る内燃機関用点火コイルの一例を示す縦断面図、図２は本発明の内燃機関用点火コイルの平面図である。ここで、内燃機関用点火コイル１０は、少なくとも１次コイル１１及び２次コイル１２、その二つのコイルを磁気的に結合させる前記１次コイル１１の内周を通るセンタ鉄心１３及び前記２次コイル１２の外周を通るサイド鉄心１４を有し、前記１次コイル１１、２次コイル１２、センタ鉄心１３及びサイド鉄心１４が内燃機関の点火プラグ軸方向と直角もしくは僅かに直角より傾いて点火コイルに電源等を供給するハーネスと接続可能な接続部を一体に成形された収納ケース１５に収容され、外周を通るサイド鉄心１４の外周面に１次コイル１１に通電された電流を遮断するためのスイッチング素子１６の金属板表面又は底面側が略並行に隣接し、スイッチング素子１６の端子部１６ａが点火プラグと逆方向に設置された内燃機関用点火コイルにおいて、前記１次コイル１１、２次コイル１２からなる巻線部とスイッチング素子１６及び外部とを接続をする溶接部１７が前記サイド鉄心１４の点火プラグの軸方向で点火プラグと逆方向の端面１４ａよりも点火プラグ側に設置されている。
【００２３】
また、図２に拡大して示すように、溶接部１７は、溶接用の溶接電極を挿入するための作業スペース８１内に包含されるものである。また、収納ケース１５は、溶接用の溶接電極（図示せず）を挿入するための作業スペース８１を確保するために、一部１５ｂが外周側に凸形状に形成されている。更に、巻線部の接続端子６は、スイッチング素子１６の設置された方向に延設されるとともに、鉤形に下方に折曲されている。また、スイッチング素子１６の端子部１６ａも鉤形に右方に折曲されている。溶接部１７には、突起が形成されており、溶接電極で挟むことにより溶着することができる。他の溶接方法として、パラレル溶接、レーザー溶接、マイクロアーク溶接等を最適に使用することができる。
【００２４】
図３は、本発明の内燃機関用点火コイルの平面図である。ここで、巻線部の溶接用の接続端子６は、平面視にてセンタ鉄心１３を巻線部の内周に通す際に必要とされる作業スペース２０から待避した位置（両脇に）に設置されている。また、スイッチング素子１６は、平面視でセンタ鉄心１３の作業スペース２０に最終的に配置される場合、センタ鉄心１３の作業スペース２０から待避した位置に設置されている。したがって、コイル全高Ｈが低くなっても、センタ鉄心１３の挿入作業の際に、巻線部の接続端子６やスイッチング素子１６が作業の邪魔になることがない。
【００２５】
以上のように構成した内燃機関用点火コイル１０は、巻線部とスイッチング素子１６及び外部とを接続をする溶接部１７がサイド鉄心１４の点火プラグの軸方向で点火プラグと逆方向の端面１４ａよりも点火プラグ側に設置されたので、全高Ｈを低くすることができる。
【００２６】
図４は、本発明の内燃機関用点火コイルの第２の実施例を示す要部拡大断面図である。本実施例において、作業スペース８１を確保するべく、収納ケース１５の外周面１５ａより外周方向に凸形状に突設されている。また、コネクタ７１に接続される相手側を考慮して、コネクタ７１の上にスペース１８が形成される。スペース１８の寸法は、１〜５ｍｍ程度である。
【００２７】
以上のように構成した場合、作業スペース８１の位置が点火コイル側に近づいたので、内燃機関用点火コイル１０の高さを低く抑えることができるとともに、他の機器のレイアウト性を向上することができる。また、スペース１８が形成されたので、コネクタ７１への接続性を向上することができる。
【図面の簡単な説明】
【００２８】
【図１】図１は、本発明に係る内燃機関用点火コイルの一例を示す縦断面図である。
【図２】図２は、同内燃機関用点火コイルの要部拡大断面図である。
【図３】図３は、同内燃機関用点火コイルの平面図である。
【図４】図４は、同内燃機関用点火コイルの第２の実施例を示す要部拡大断面図である。
【図５】図５は、従来の内燃機関用点火コイルの一例を示す縦断面図である。
【符号の説明】
【００２９】
６      巻線部の接続端子
８      接続構造部 
１０      内燃機関用点火コイル
１１      １次コイル
１２      ２次コイル
１３      センタ鉄心
１４      サイド鉄心
１４ａ    端面
１５      収納ケース
１５ａ    収納ケース外周面
１５ｂ    一部
１６      スイッチング素子
１６ａ    端子部
１７      溶接部
１８      スペース
１９      絶縁材
２０      作業スペース
５１      ベース
５２      接続端子
７１      コネクタ
８１      作業スペース
【図１】
2005317717.tif 000003
【図２】
2005317717.tif 000004
【図３】
2005317717.tif 000005
【図４】
2005317717.tif 000006
【図５】
2005317717.tif 000007